(57)【要約】      （修正有）【課題】タッチパネル式ディスプレイを備える携帯型情報端末を、収納部から取り出すことなく、歩きながらでも操作することができるウエストポーチを提供する。【解決手段】導電性を有する柔らかい透明シート７が貼着され内部を外部から視認可能に形成された窓部８を有する細長袋状の収納部２と、窓部よりも軸方向外方の両軸端部分３、４が、収納部の中央部よりも幅狭に形成されてなる窄まり部１０、１１を備え、窄まり部のうち、少なくとも一方の正面には、イヤホンコードを引き出すための内外部に貫通してなる小孔１２が形成され、背面には、対向する端部に渡って、収納部の内部を開放することができる開閉機構１４を有する。【選択図】図１
0003198028.tif 000002
【実用新案登録請求の範囲】
【請求項１】
細長袋状の収納部と、
前記収納部の長軸方向の両軸端部に連結されてなる帯状の装着ベルトと、
前記装着ベルトの中間部に設けられた係合自在のバックル部とを備え、
前記収納部は、
正面中央部に、導電性を有する柔らかい透明シートが貼着されてなることによって収納部の内部を外部から視認可能に形成された窓部を有し、
前記窓部よりも軸方向外方の両軸端部分が、収納部の中央部よりも幅狭に形成されてなる窄まり部に形成され、
前記窄まり部のうち、少なくとも一方の正面に、内外部に貫通してなる小孔が形成され、
背面における対向する端部の間に渡って、収納部の内部を開放することができる開閉機構を有する
ことを特徴とする携帯型情報端末用ポーチ。
【考案の詳細な説明】
【技術分野】
【０００１】
本考案は、特にタッチパネル式ディスプレイを備える携帯型情報端末を収納して持ち運ぶために使用される携帯型情報端末用ポーチに関する。
【背景技術】
【０００２】
従来から、腰などに巻き付けて、日常的に利用する携帯型情報端末を収納して持ち運ぶことができるウエストポーチは、手持ち鞄とは異なり、手に持たずに持ち運ぶことができ、両手を開放した状態で歩くことができるものとして利用されていた。
【０００３】
また、ウエストポーチは、同じく両手を解放した状態で持ち運ぶことができるリュックサックとは異なり、歩きながらでも収納部から収納物を取り出すことができるものとして利用されていた。
【先行技術文献】
【特許文献】
【０００４】
【特許文献１】実開平０４−０６２１１６
【考案の概要】
【考案が解決しようとする課題】
【０００５】
しかし、従来のウエストポーチは、収納されたタッチパネル式ディスプレイを備える携帯型情報端末を使用するために、携帯型情報端末をウエストポーチから一旦取り出す必要があり、取り出す手間が必要であった。
【課題を解決するための手段】
【０００６】
そこで、上記課題を解決するための手段として本考案に係る携帯型情報端末用ポーチは、細長袋状の収納部と、前記収納部の長軸方向の両軸端部に連結されてなる帯状の装着ベルトと、前記装着ベルトの中間部に設けられた係合自在のバックル部とを備え、前記収納部は、正面中央部に、導電性を有する柔らかい透明シートが貼着されてなることによって収納部の内部を外部から視認可能に形成された窓部を有し、前記窓部よりも軸方向外方の両軸端部分が、収納部の中央部よりも幅狭に形成されてなる窄まり部に形成され、前記窄まり部のうち、少なくとも一方の正面に、内外部に貫通してなる小孔が形成され、背面における対向する端部の間に渡って、収納部の内部を開放することができる開閉機構を有することを特徴とする。
【０００７】
装着ベルトは幅広の帯状に形成されてなることが好ましい。幅広であることにより、本考案を腰や胴に装着した状態で歩くなどしたときに、収納部の揺れ動きを抑制し、収納部が使用者が歩く動作の邪魔になることを防止することができる。
【０００８】
透明シートは、一般に用いられてなる導電性を有する柔らかいシートである。例えば、柔らかい透明樹脂シートに導電性の金属材料若しくはカーボン素材等を組み合わせて、一般に製造販売されているもの等を使用することができる。
【０００９】
窄まり部は、収納部内に収納された携帯型情報端末の端部を保持し、携帯型情報端末のディスプレイが窓部の枠外へずれ動くことを防止することができる。
【００１０】
開閉機構は、収納部の背面における両軸端部の間に渡って形成されていることが好ましい。これにより、開閉機構を開位置とした場合に収納部の長手方向の全長にわたって開くことができるため、携帯型情報端末の出し入れを容易に行うことができる。
【００１１】
窄まり部に設けられた小孔からは、携帯型情報端末に接続されたイヤホンコード等を引き出すことができ、開閉機構を閉じたまま、使用者は音楽等を視聴することができる。
【考案の効果】
【００１２】
本考案によれば、タッチパネル式ディスプレイを備える携帯型情報端末を、腰、若しくは胴に装着した収納部から取り出すことなく、歩きながらでも操作することができる。
【図面の簡単な説明】
【００１３】
【図１】携帯型情報端末用ポーチ１を、バックル部６、６を開放した状態で収納部２の正面側からみた全体図である。
【図２】携帯型情報端末用ポーチ１を、バックル部６、６を係合した状態で収納部２の背面側からみた全体図である。
【図３】携帯型情報端末１６を収納した状態の収納部２部分の拡大正面図である。
【図４】携帯型情報端末１６を収納し、小孔１２からコード２０を引き出した状態を示す収納部２部分の拡大斜視図である。
【図５】使用者２１が携帯型情報端末用ポーチ１を腰に巻いて使用している状態を示す概略図である。
【図６】使用者２１が携帯型情報端末用ポーチ１を肩から腰にかけて斜めに保持して使用している状態を示す概略図である。
【考案を実施するための形態】
【００１４】
以下、本考案に係る実施の形態を、図を参照しながら詳しく説明する。
【００１５】
図１に示すように、携帯型情報端末用ポーチ１は、細長袋状の収納部２と、収納部２の長軸方向の軸端部３，４に連結されてなる帯状の装着ベルト５と、装着ベルト５の中間部に設けられた係合自在のバックル部６，６とを備えてなる。
【００１６】
前記収納部２は、正面中央部に、導電性を有する柔らかい透明シート７が貼着されてなることによって収納部の内部を外部から視認可能に形成された窓部８を有する。また、窓部８よりも軸方向外方の両軸端部分は、収納部２の中央部９よりも幅狭に形成されてなる窄まり部１０、１１に形成されてなる。窄まり部１０の正面には、内外部に貫通してなる小孔１２が形成される。なお、窓部８の外周縁は、光反射材からなる光反射部１３が設けられてなる。
【００１７】
収納部２の背面には、図２に示すように、軸端部３から軸端部４の間に渡って、収納部２の内部を開放することができる開閉機構１４を有する。開閉機構１４は、線ファスナーからなり、また、開閉機構１４の上下縁部は、光反射材からなる光反射部１５が設けられてなる。
【００１８】
使用者２１は、線ファスナーのつまみ部をスライドさせることで開閉機構１４を開放することができ、携帯型情報端末１６を開放された収納部２の内部に収納することができる。開閉機構１４が収納部２の背面において軸端部３から軸端部４に渡って設けられてなることによって、収納部２の短軸方向に沿った上下端部の間に渡って開閉機構を設けるよりも大きく開放することができ、携帯型情報端末１６の出し入れを容易に行うことができる。携帯型情報端末１６を収納部２に収納した後、線ファスナーのつまみ部を戻すことで開閉機構１４を閉塞させることができ、歩行中であっても携帯型情報端末１６が収納部２から落下することを防止することができる。
【００１９】
また、開閉機構１４を収納部２の背面に設けることで、収納部２の中央部９の正面全体に窓部８を形成することができる。これにより、収納部２の中央部９の大きさとほぼ同じ大きさのディスプレイ１７を有する携帯型情報端末１６を収納した場合にも、ディスプレイ１７に表示される情報を窓部８から見ることができる。
【００２０】
図３には、携帯型情報端末１６を収納した状態の収納部２を正面から見た様子を示す。窄まり部１０，１１は、収納部２内に収納された携帯型情報端末１６の端部を保持し、携帯型情報端末１６のディスプレイ１７が窓部８の枠外へずれ動くことを防止することができる。特に、窄まり部１０，１１の周面の一部が内側へ折り込まれてなることで、前記折り込まれた部分が収納部２の内部で携帯型情報端末１６の端部と当接するため、携帯型情報端末１６のずれ動きを効果的に抑制することができる。
【００２１】
窓部８の透明シート７を通してタッチパネル式のディスプレイ１７に示された情報を確認できると共に、ボタン１８及びディスプレイ１７上でのタッチパネル操作を行うことも可能である。また小孔１２は、柔軟な樹脂板が十字に切り込まれてなることによって弁に類似した機能を備える弁部１９を有している。図４に示すように、携帯型情報端末１６に接続されたイヤホンコード２０を小孔１２から外に引き出した際に、前記弁部１９がコードを挟持することによって、使用者２１が使いやすいイヤホンコード２０の引き出された部分の長さを維持することができる。使用者２１は、小孔１２から引き出したイヤホンコード２０を耳に装着することで携帯型情報端末１６に保存した音楽データ等を再生して視聴することができる。その際、楽曲の選択、再生操作は、窓部８の透明シート７の外表面を、指でディスプレイ１７に押し当てながらタッチすることで、携帯型情報端末１６を収納部２に収納したまま行うことができる。
【００２２】
図５は、使用者２１が携帯型情報端末１６を収納部２に収納した携帯型情報端末用ポーチ１を腰に巻いて装着し、使用している様子を示す図である。使用者２１は、ベルト５を腰の後ろまで掛けまわすと共に、バックル部６、６を係合させることによって容易に携帯型情報端末用ポーチ１を装着することができる。また、係合状態のバックル部６、６のロックを外せば、携帯型情報端末用ポーチ１を腰から外すことができる。
【００２３】
使用者２１は、携帯型情報端末用ポーチ１を腰に装着したまま、窓部８に設けられた透明シート７の外側からディスプレイ１７の情報を見ることができる。また、透明シート７は柔らかいので、透明シート７と共にボタン１８を押すことにより、携帯型情報端末１６を操作することができる。また、透明シート７は導電性を有するため、使用者は透明シート７の外表面を、指でディスプレイ１７に押し当てながらタッチすることによって携帯型情報端末１６を操作することができる。
【００２４】
さらに、使用者２１は、図６に示すように携帯型情報端末１６を収納部２に収納した携帯型情報端末用ポーチ１を肩から腰にかけて斜めに装着し、使用することもできる。肩から腰にかけて斜めに装着された携帯型情報端末用ポーチ１も、前述の腰に装着した場合と同様に、使用者２１は装着したまま携帯型情報端末１６の操作を行うことができる。
【００２５】
なお、光反射部１３が車の前方照明の光等を反射して使用者２１の存在を知らせるため、暗い夜に外出する際に携帯型情報端末用ポーチ１を体に装着して使用することで、使用者２１の安全を守るための助けとなる。
【００２６】
また、収納部２が不意に裏返った場合にも光反射部１５が外方に露出して車の前方照明の光等を反射し、使用者２１の存在を車の運転者等に知らせて、使用者２１の安全を守るための助けとなる。
【符号の説明】
【００２７】
１  携帯型情報端末用ポーチ
２  収納部
３、４  軸端部
５  装着ベルト
６  バックル部
７  透明シート
８  窓部
１０、１１  窄まり部
１２  小孔
１４  開閉機構
１６  携帯型情報端末
【図１】
0003198028.tif 000003
【図２】
0003198028.tif 000004
【図３】
0003198028.tif 000005
【図４】
0003198028.tif 000006
【図５】
0003198028.tif 000007
【図６】
0003198028.tif 000008